(57)【要約】      （修正有）【課題】保持対象の幅を拡大し、かつ使用態様に幅を持たせた保持具及びその保持具を設けた座席を提供する。【解決手段】保持具１０は、第１係合部１１０及び第２係合部１２０が設けられた本体部１００と、本体部１００に対して基端側が固定された帯体２００と、帯体２００の自由端側に設けられ、第１係合部１１０及び第２係合部１２０に対して選択的に係合可能であるフック体３００と、を備え、第１係合部１１０及び第２係合部１２０に対して非係合状態にあるフック体３００にとって第２係合部１２０が第１係合部１１０よりもフック体３００に近い位置に設けられる。【選択図】図１
0003186016.tif 000002
【実用新案登録請求の範囲】
【請求項１】
第１係合部（１１０）及び第２係合部（１２０）が設けられた本体部（１００）と、
前記本体部（１００）に対して基端（２１０）側が固定された帯体（２００）と、
前記帯体（２００）の自由端（２２０）側に設けられ、前記第１係合部（１１０）及び前記第２係合部（１２０）に対して選択的に係合可能であるフック体（３００）と、を備え、
前記第１係合部（１１０）及び前記第２係合部（１２０）に対して非係合状態にある前記フック体（３００）にとって前記第２係合部（１２０）が前記第１係合部（１１０）よりも当該フック体（３００）に近い位置に設けられる、保持具。
【請求項２】
第１係合部（１１０）に対して前記フック体（３００）が係合する時、前記帯体（２００）により少なくとも部分的に前記第２係合部（１２０）が覆われる、請求項１に記載の保持具。
【請求項３】
前記第１係合部（１１０）に対して前記フック体（３００）が係合する第１状態において前記帯体（２００）が前記本体部（１００）上に伏したようになり、前記第２係合部（１２０）に対して前記フック体（３００）が係合する第２状態において前記帯体（２００）が弛んで前記本体部（１００）との間に空間を形成する、請求項１又は２に記載の保持具。
【請求項４】
前記本体部（１００）は、前記第１係合部（１１０）及び第２係合部（１２０）に対して係合する前記フック体（３００）の少なくとも一部を収容するフック収容部（１３０）を備える、請求項１乃至３のいずれか一項に記載の保持具。
【請求項５】
前記フック体（３００）は、基部（３１０）と当該基部（３１０）に結合した孤状部（３２０）を含み、
前記第１係合部（１１０）に対して前記フック体（３００）が係合する第１状態において前記フック体（３００）の前記基部（３１０）及び前記弧状部（３２０）が前記フック収容部（１３０）により収容され、
前記第２係合部（１２０）に対して前記フック体（３００）が係合する第２状態において前記フック体（３００）の前記弧状部（３２０）の少なくとも一部が前記フック収容部（１３０）により収容される、請求項４に記載の保持具。
【請求項６】
前記フック収容部（１３０）は、互いに対向関係の第１側面（１３１）及び第２側面（１３２）を備え、前記第１側面（１３１）及び前記第２側面（１３２）の少なくとも一方に前記第１係合部（１１０）が設けられる、請求項４又は５に記載の保持具。
【請求項７】
前記フック収容部（１３０）は、前記第１側面（１３１）及び前記第２側面（１３２）の間を接続する第３側面（１３３）を備え、
前記第２係合部（１２０）は、前記第３側面（１３３）において前記第１係合部（１１０）側へ凸状に設けられる、請求項６に記載の保持具。
【請求項８】
前記第２係合部（１２０）の一端部（１２１）と前記第１側面（１３１）との間に間隔（Ｗ１９１）が設けられ、かつ前記第２係合部（１２０）の他端部（１２２）と前記第２側面（１３２）との間に間隔（Ｗ１９２）が設けられる、請求項７に記載の保持具。
【請求項９】
前記第１係合部（１１０）に対して前記フック体（３００）が係合する時に前記帯体（２００）を少なくとも部分的に収容可能である帯体収容部（１４０）を備える、請求項１乃至８のいずれか一項に記載の保持具。
【請求項１０】
前記本体部（１００）は、前記第１係合部（１１０）から外れた前記フック体（３００）が前記第２係合部（１２０）に係合することを規制可能である規制部（１５０）を更に備え、
当該規制部（１５０）は、前記第１係合部（１１０）と前記第２係合部（１２０）の間に配される部分を含む、若しくは前記第１係合部（１１０）に連結して前記第２係合部（１２０）側へ延在する部分を含む、請求項１乃至９のいずれか一項に記載の保持具。
【請求項１１】
前記第１係合部（１１０）及び前記第２係合部（１２０）に対して前記フック体（３００）が非係合のとき、前記フック体（３００）が前記本体部（１００）から前記帯体（２００）を介して鉛直方向に吊り下がる第３状態を取り得る、請求項１乃至１０のいずれか一項に記載の保持具。
【請求項１２】
前記帯体（２００）に代替して、前記本体部（１００）に設けられたコンストンスプリング装置（５００）に対して基端（２１０）が結合した帯体（２００’）を備える、請求項１乃至１１のいずれか一項に記載の保持具。
【請求項１３】
請求項１乃至１２のいずれか一項に記載の保持具（１０）が設けられた座席。
【考案の詳細な説明】
【技術分野】
【０００１】
本考案は、保持具及び座席に関する。
【背景技術】
【０００２】
スナップボタンを用いた薄型の保持具が特許文献１に開示されている。特許文献１の図６等に示すように、雌型スナップボタン（３０）と雄型スナップボタン（７０）の着脱により、保持具（１００）の基部（１０）上に帯体（５０）を伏した初期姿勢やこの姿勢から脱した姿勢にすることができる。
【先行技術文献】
【特許文献】
【０００３】
【特許文献１】実用新案登録第３１８１９３８号公報
【考案の概要】
【考案が解決しようとする課題】
【０００４】
特許文献１の場合にはスナップボタンの活用により保持具の薄型化を図ることができるが、重い荷物が掛けられる場合にはスナップボタンの結合力が弱いと外れてしまうことが懸念され、軽量な荷物から重量のある荷物といったような広範囲の対象物の保持には向かないおそれがある。また、特許文献１の場合、保持具の使用態様も限定的であり、利用者の潜在的なニーズに対応できないおそれがある。
【課題を解決するための手段】
【０００５】
本考案の一態様に係る保持具は、第１係合部（１１０）及び第２係合部（１２０）が設けられた本体部（１００）と、前記本体部（１００）に対して基端（２１０）側が固定された帯体（２００）と、前記帯体（２００）の自由端（２２０）側に設けられ、前記第１係合部（１１０）及び前記第２係合部（１２０）に対して選択的に係合可能であるフック体（３００）と、を備え、前記第１係合部（１１０）及び前記第２係合部（１２０）に対して非係合状態にある前記フック体（３００）にとって前記第２係合部（１２０）が前記第１係合部（１１０）よりも当該フック体（３００）に近い位置に設けられる。
【０００６】
第１係合部（１１０）に対して前記フック体（３００）が係合する時、前記帯体（２００）により少なくとも部分的に前記第２係合部（１２０）が覆われる、と良い。
【０００７】
前記第１係合部（１１０）に対して前記フック体（３００）が係合する第１状態において前記帯体（２００）が前記本体部（１００）上に伏したようになり、前記第２係合部（１２０）に対して前記フック体（３００）が係合する第２状態において前記帯体（２００）が弛んで前記本体部（１００）との間に空間を形成する、と良い。
【０００８】
前記本体部（１００）は、前記第１係合部（１１０）及び第２係合部（１２０）に対して係合する前記フック体（３００）の少なくとも一部を収容するフック収容部（１３０）を備える、と良い。
【０００９】
前記フック体（３００）は、基部（３１０）と当該基部（３１０）に結合した孤状部（３２０）を含み、前記第１係合部（１１０）に対して前記フック体（３００）が係合する第１状態において前記フック体（３００）の前記基部（３１０）及び前記弧状部（３２０）が前記フック収容部（１３０）により収容され、前記第２係合部（１２０）に対して前記フック体（３００）が係合する第２状態において前記フック体（３００）の前記弧状部（３２０）の少なくとも一部が前記フック収容部（１３０）により収容される、と良い。
【００１０】
前記フック収容部（１３０）は、互いに対向関係の第１側面（１３１）及び第２側面（１３２）を備え、前記第１側面（１３１）及び前記第２側面（１３２）の少なくとも一方に前記第１係合部（１１０）が設けられる、と良い。
【００１１】
前記フック収容部（１３０）は、前記第１側面（１３１）及び前記第２側面（１３２）の間を接続する第３側面（１３３）を備え、前記第２係合部（１２０）は、前記第３側面（１３３）において前記第１係合部（１１０）側へ凸状に設けられる、と良い。
【００１２】
前記第２係合部（１２０）の一端部（１２１）と前記第１側面（１３１）との間に間隔（Ｗ１９１）が設けられ、かつ前記第２係合部（１２０）の他端部（１２２）と前記第２側面（１３２）との間に間隔（Ｗ１９２）が設けられる、と良い。
【００１３】
前記第１係合部（１１０）に対して前記フック体（３００）が係合する時に前記帯体（２００）を少なくとも部分的に収容可能である帯体収容部（１４０）を備える、と良い。
【００１４】
前記本体部（１００）は、前記第１係合部（１１０）から外れた前記フック体（３００）が前記第２係合部（１２０）に係合することを規制可能である規制部（１５０）を更に備え、当該規制部（１５０）は、前記第１係合部（１１０）と前記第２係合部（１２０）の間に配される部分を含む、若しくは前記第１係合部（１１０）に連結して前記第２係合部（１２０）側へ延在する部分を含む、と良い。
【００１５】
前記第１係合部（１１０）及び前記第２係合部（１２０）に対して前記フック体（３００）が非係合のとき、前記フック体（３００）が前記本体部（１００）から前記帯体（２００）を介して鉛直方向に吊り下がる第３状態を取り得る、と良い。
【００１６】
前記帯体（２００）に代替して、前記本体部（１００）に設けられたコンストンスプリング装置（５００）に対して基端（２１０）が結合した帯体（２００’）を備える、と良い。
【００１７】
本考案の別の態様に係る座席は、上述のいずれかの保持具（１０）が設けられた座席である。
【考案の効果】
【００１８】
本考案によれば保持対象の幅を拡大し、かつ保持具の使用態様に幅を持たせることができる。
【図面の簡単な説明】
【００１９】
【図１】本考案の第１実施形態に係る保持具の斜視図であり、フック体が本体部から帯体を介して鉛直方向に吊り下がった状態を示す。
【図２】本考案の第１実施形態に係る保持具の前面図であり、フック体が本体部から帯体を介して鉛直方向に吊り下がった状態を示す。
【図３】本考案の第１実施形態に係る保持具の上下断面模式図であり、図２のＩＩＩ−ＩＩＩに沿う断面を示す。
【図４】本考案の第１実施形態に係る保持具の斜視図であり、フック体が上側掛け部に掛けられた状態を示す。
【図５】本考案の第１実施形態に係る保持具の上下断面模式図であり、フック体が上側掛け部に掛けられた状態、かつ帯体と本体部の間に鞄や袋等の持ち手が配された状態を示す。
【図６】本考案の第１実施形態に係る保持具の斜視図であり、フック体が下側掛け部に掛けられた状態を示す。
【図７】本考案の第１実施形態に係る保持具の上下断面模式図であり、フック体が下側掛け部に掛けられた状態、かつ帯体と本体部の間に鞄や袋等の持ち手が配された状態を示す。
【図８】本考案の第１実施形態に係る保持具の上下断面模式図であり、フック体が上側掛け部から外れ、下側掛け部に係合しないように規制部により規制される状態を示す。
【図９】本考案の第１実施形態の変形例に係る保持具の上下部分断面模式図であり、上側掛け部に規制部が一体化した構成例を示す。
【図１０】本考案の第２実施形態に係る保持具の部分的な前面図であり、下側掛け部の変形例を示す。
【図１１】本考案の第２実施形態に係る保持具の部分的な上下断面模式図であり、下側掛け部に鞄や袋等の持ち手が掛けられた状態を示す。
【図１２】本考案の第３実施形態に係る座席の概略的な背面図である。
【図１３】本考案の第３実施形態に係る座席に対する保持具の固定方法の一例を示す断面模式図である。
【図１４】本考案の第３実施形態に係る座席に対する保持具の固定方法の別例を示す断面模式図である。
【図１５】本考案の第４実施形態に係る保持具の部分断面模式図であり、伸縮性のある帯体に代えてコンストンスプリング装置に結合した非伸縮性の帯体を用いる例を図示する。
【図１６】本考案の第５実施形態に係る保持具の前面図であり、帯体の基端が膨大に構成されて抜止部として機能する例を示す。
【図１７】本考案の第５実施形態に係る保持具の上下断面模式図であり、図１６に示すＸＶＩＩ−ＸＶＩＩに沿う断面を示す。
【考案を実施するための形態】
【００２０】
以下、図面を参照しつつ、本考案の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２１】
図示の上下方向は、鉛直方向に一致する。鉛直方向とは無関係に上下方向を定義するならば、上下方向は、第１係合部と第２係合部の横並び配置の方向に等しい。左右方向は、帯体の幅やフック体の幅の方向に等しい。前後方向は、本体部の厚み方向や本体部に設けられたフック収容部の深さ方向に等しい。フック収容部が左右に所定幅であり上下に長尺であることに鑑みて、上下方向をフック収容部の長さ方向とし、左右方向をフック収容部の幅方向として把握しても良い。上下方向を第１方向と呼び、左右方向を第２方向と呼び、前後方向を第３方向と呼ぶ場合がある。
【００２２】
＜第１実施形態＞
図１乃至図９を参照して第１実施形態について説明する。図１は、保持具の斜視図であり、フック体が本体部から帯体を介して鉛直方向に吊り下がった状態を示す。図２は、保持具の前面図であり、フック体が本体部から帯体を介して鉛直方向に吊り下がった状態を示す。図３は、保持具の上下断面模式図であり、図２のＩＩＩ−ＩＩＩに沿う断面を示す。図４は、保持具の斜視図であり、フック体が上側掛け部に掛けられた状態を示す。図５は、保持具の上下断面模式図であり、フック体が上側掛け部に掛けられた状態、かつ帯体と本体部の間に鞄や袋等の持ち手が配された状態を示す。図６は、保持具の斜視図であり、フック体が下側掛け部に掛けられた状態を示す。図７は、保持具の上下断面模式図であり、フック体が下側掛け部に掛けられた状態、かつ帯体と本体部の間に鞄や袋等の持ち手が配された状態を示す。図８は、保持具の上下断面模式図であり、フック体が上側掛け部から外れ、下側掛け部に係合しないように規制部により規制される状態を示す。図９は、第１実施形態の変形例に係る保持具の上下部分断面模式図であり、上側掛け部に規制部が一体化した構成例を示す。
【００２３】
保持具１０は、本体部１００、帯体２００、及びフック体３００を有する。本体部１００は、フック体３００が係合可能である複数の係合部としてフック体３００を掛けることが可能である複数の掛け部を有する。本例に係る本体部１００は、合計２つの上側掛け部１１０及び下側掛け部１２０を有する。上側掛け部１１０及び下側掛け部１２０は、上下方向に順に離間して配置されている。このように複数の係合部を設けることによりフック体３００を選択的に係合することが可能になる。なお、係合部／掛け部の数は任意であり、３つ以上であっても構わない。また、係合部／掛け部の具体的な構成は任意であり、分断又は連続の杆、一つの突起、一組の突起、２以上に分断又は連続の凸部、横並びの突起群等の様々な態様が考えられる。上側掛け部１１０を第１係合部と呼び、下側掛け部１２０を第２係合部と呼んでも良い。
【００２４】
帯体２００は、伸縮性を有する長尺体であり、好適には伸縮可能なウェビングやゴムバンドであり、一例としてはナイロン製のウェビングである。ウェビングは、高い伸縮性を有すると共に、繰り返しの伸縮を経ても伸縮力がさほど低下しない適当な性質を有する。ウェビングは、典型的には縦糸と横糸の織物である。なお、伸縮性を有しない帯体を用いても良いが、帯体２００に伸縮性を付与するほうが様々な対象物の締め付けを好適に確保できるだろう。
【００２５】
帯体２００は、本体部１００に対して固定された基端２１０と、当該基端２１０の反対端の自由端２２０を有する。例えば、帯体２００の基端２１０は、インサート成形により本体部１００に埋め込まれる。例えば、帯体２００の自由端２２０は、インサート成形によりフック体３００に埋め込まれる。本体部１００に対する帯体２００の固定方法やフック体３００と帯体２００の固定方法は任意であり、接着やボルト類を活用して固定しても構わない。なお、インサート成形の場合、帯体２００の基端２１０と自由端２２０に穴を形成し、この穴に本体部１００やフック体３００の構成樹脂を充填し、これにより、本体部１００やフック体３００からの帯体２００の分離を抑制することができる。
【００２６】
フック体３００は、帯体２００の自由端２２０に対して設けられる。フック体３００は、基部３１０と当該基部３１０に結合した弧状部３２０を含み、つまりはＪ字状に構成される。フック体３００の具体的な形状はＪ字状に限られるものではなく、付加的な構造が付与されたり、Ｃ字状やＵ字状等の他の形状であっても構わない。
【００２７】
本例に係る本体部１００は、箱部１０１、及び平板部１０２を含む。本体部１００の箱部１０１は、本体部１００の前面１０５から後側へ凹状に窪んだフック収容部１３０を備える。フック収容部１３０は、上側掛け部１１０及び下側掛け部１２０に掛けられた状態のフック体３００を収容し、これにより意図しないフック体３００の外れを抑制することができる。
【００２８】
平板部１０２は、本体部１００に意匠性を付与するための部分であり、箱部１０１の左側の左側半円部１０３と箱部１０１の右側の右側半円部１０４を含む。左側半円部１０３と右側半円部１０４は、共通の正円の一部を構成するように構成される。
【００２９】
フック収容部１３０は、左側面１３１、右側面１３２、下側面１３３、上側面１３４、及び底面１３５を有する。フック収容部１３０の左側面１３１、右側面１３２、及び上側面１３４は、各々、本体部１００の前面１０５から後側へ垂直に延在する。左側面１３１と右側面１３２が対向する。フック収容部１３０の下側面１３３は、左側面１３１と右側面１３２の間を接続し、かつ上側面１３４に対向する。底面１３５は、左側面１３１、右側面１３２、下側面１３３、及び上側面１３４に対して垂直に交差する。なお、左側面１３１、右側面１３２、下側面１３３、及び上側面１３４を第１側面、第２側面、第３側面、第４側面と呼んでも良い。
【００３０】
フック収容部１３０の左側面１３１と右側面１３２の面間隔は、フック体３００の左右幅に対応し、つまりフック体３００の左右幅に略等しい、若しくはそれよりも僅かに広い。フック収容部１３０の下側面１３３と上側面１３４の面間隔は、上側掛け部１１０及び下側掛け部１２０へのフック体３００の掛けを確保するように適当に設定されるが、多くの場合において、フック収容部１３０の左側面１３１と右側面１３２の面間隔よりも広いことが想定される。
【００３１】
本例においては、上述の上側掛け部１１０は、フック収容部１３０の左側面１３１及び右側面１３２に凸状に設けられる。図２に明示のように、上側掛け部１１０は、フック収容部１３０の左側面１３１から右側へ凸状に突出した左側突起１１１と、フック収容部１３０の右側面１３２から左側へ凸状に突出した右側突起１１２から構成される。左側突起１１１及び右側突起１１２の両方とも左側面１３１及び右側面１３２に対して直交する左右方向に延在する部分である。左側突起１１１と右側突起１１２は左右方向に同軸に配置される。
【００３２】
本例においては、上述の下側掛け部１２０が下側面１３３に設けられ、上側の上側掛け部１１０側へ凸状に突出する。下側掛け部１２０は、左側突起１１１及び右側突起１１２と同様、左側面１３１及び右側面１３２に対して直交する左右方向に延在する長尺部分である。下側掛け部１２０の左端部１２１が左側面１３１に連結し、下側掛け部１２０の右端部１２２が右側面１３２に連結する。なお、下側掛け部１２０の左端部１２１を一端部と呼び、下側掛け部１２０の右端部１２２を他端部と呼んでも良い。
【００３３】
本体部１００には、上側掛け部１１０にフック体３００が掛けられた時に帯体２００を収容する帯体収容部１４０が設けられ、帯体収容部１４０はフック収容部１３０の下側に設けられる。帯体収容部１４０は、本体部１００の前面１０５から前後方向の後方に凹状に窪んだ凹部であり、上下方向に延在する。帯体収容部１４０は、底面１４１、左側面１４２、及び右側面１４３を有する。帯体収容部１４０の左側面１４２は、左側段差１４４を介して、フック収容部１３０の左側面１３１に接続する。帯体収容部１４０の右側面１４３は、右側段差１４５を介して、フック収容部１３０の右側面１３２に接続する。帯体収容部１４０の左側面１４２と右側面１４３の間隔は、帯体２００の左右幅に対応し、つまり帯体２００の左右幅に略等しい、若しくはそれよりも僅かに広い。
【００３４】
なお、本体部１００の前面１０５に対する帯体収容部１４０の深さ、つまり本体部１００の前面１０５と帯体収容部１４０の底面１４１の面間隔は、本体部１００の前面１０５に対するフック収容部１３０の深さ、つまり本体部１００の前面１０５とフック収容部１３０の底面１３５の面間隔よりも小さい。これは、フック収容部１３０にはフック体３００が収容されるのに対して、帯体収容部１４０には帯体２００が収容されるためである。
【００３５】
本実施形態においては、上側掛け部１１０及び下側掛け部１２０は、本体部１００において異なる位置に設けられ、上側掛け部１１０及び下側掛け部１２０に対して非係合状態にあるフック体３００にとって下側掛け部１２０が上側掛け部１１０よりも当該フック体３００に近い位置に設けられる。本例においては、本体部１００に対する帯体２００の取付位置、つまり帯体２００の基端２１０に対して上側掛け部１１０よりも下側掛け部１２０が近くに設けられる。なお、上述の非係合状態のフック体３００は、本体部１００から帯体２００を介して鉛直方向に吊り下げられた状態のフック体３００に等しい。このような上側掛け部１１０及び下側掛け部１２０の配置態様により、上側掛け部１１０にフック体３００が掛けられる時に帯体２００により下側掛け部１２０が覆われる。なお、本例においては上側掛け部１１０及び下側掛け部１２０が上下方向において異なる位置に設けられる。
【００３６】
かかる構成によれば、フック体３００を上側掛け部１１０及び下側掛け部１２０のいずれに掛けるのかを選択することができ、またこの選択に応じて帯体２００の状態又は姿勢が異なるようになる。すなわち、図４及び図５に示す上側掛け部１１０に対してフック体３００が係合する第１状態において帯体２００が張られて本体部１００上に伏したようになり、図６及び図７に示す下側掛け部１２０に対してフック体３００が係合する第２状態において帯体２００が弛んで本体部１００との間に空間を形成する。
【００３７】
図４に示した第１状態においては、帯体２００が張られており、本体部１００の後側から前側へ延びる帯体２００の折返し部２４０が本体部１００の下側面に密着している。他方、図６に示した第２状態においては、帯体２００が弛んでおり、本体部１００の後側から前側へ延びる帯体２００の折返し部２４０が本体部１００の下側面に密着せずに空間を空けて配される。このように第２状態の折返し部２４０は、第１状態の折返し部２４０よりも本体部１から離れて設けられる。フック体３００を上側掛け部１１０に掛けた時と下側掛け部１２０に掛けた時の間で帯体２００の状態や姿勢が異なることが分かる。
【００３８】
第１状態と第２状態の各場合において、帯体２００が上下方向に沿って延在する部分を含む。第１状態と第２状態の一方又は両方において、前後方向に対して垂直に交差する平面に関して帯体２００を部分的又は全体的に傾斜させても良い。このように帯体２００を傾斜させても帯体２００の延在方向が上下方向に沿うものと把握できる。
【００３９】
なお、上述の帯体２００の状態変化の差の程度は必ずしも図示のものに限られず、例えば、下側掛け部１２０にフック体３００が掛けられた時も帯体２００が張られた状態とし、ただ上側掛け部１１０にフック体３００が掛けられた時には帯体２００がより大きく伸縮して張られた状態になる態様も考えられる。
【００４０】
図４及び図５に示す第１状態においては、フック体３００の全体がフック収容部１３０により収容され、フック体３００が本体部１００の前面１０５よりも前側に位置しない。例えば、図５に示すように、帯体２００と本体部１００の帯体収容部１４０の間で鞄や袋等の持ち手９００を挟み込むことができる。
【００４１】
図６及び図７に示す第２状態においては、フック体３００の弧状部３２０の先端側半分がフック収容部１３０により収容され、フック体３００の一部が本体部１００の前面１０５よりも前側に位置し、端的には、フック体３００の基部３１０が本体部１００の前面１０５上に配される。図６から明らかなように、帯体２００が弧状に弛み、帯体２００と本体部１００の間に空間が形成される。例えば、図７に示すように、帯体２００と本体部１００の側面１０６の間で鞄や袋等の持ち手９００を挟み込むことができる。
【００４２】
フック体３００が各掛け部に掛けられることにより、より重い荷物の保持にも十分に対応できる。また、上下方向において異なる位置に各掛け部が設けられるため、いずれかにフック体３００を掛けるのかの選択により、保持の強弱の選択や保持対象の荷物の持ち手の太さ等の様々な要因に対処することができる。なお、各係合部／掛け部の配置態様は本例の如く上下横並びの態様に限られるべきではない。
【００４３】
図１乃至図３に示すようにフック体３００が上側掛け部１１０及び下側掛け部１２０に掛けられていない本体部１００から帯体２００を介して鉛直方向に吊り下がる第３状態において、フック体３００に対して荷物を掛けることが可能であり、保持具１０のより広い使用態様を確保することができる。
【００４４】
本体部１００は、上側掛け部１１０から外れたフック体３００が下側掛け部１２０に掛けられることを規制する規制部１５０を有する。規制部１５０は、上側掛け部１１０と下側掛け部１２０の間に配される部分を含み、上側掛け部１１０から外れたフック体３００が下側掛け部１２０へ係合することが規制される。
【００４５】
本例に係る規制部１５０は、図２及び図８に端的に見られるように、フック収容部１３０の左側面１３１側の左側規制部１５１と、フック収容部１３０の右側面１３２側の右側規制部１５２から構成される。左側規制部１５１は、フック収容部１３０の左側面１３１と底面１３５に連結し、左側突起１１１を臨むように前側下方へ傾斜する傾斜面１５３を有する。図８の参照から理解できるように、この傾斜面１５３によりフック体３００の先端がガイドされ、上側掛け部１１０から外れたフック体３００が下側掛け部１２０に掛けられることが規制される。
【００４６】
右側規制部１５２は、フック収容部１３０の右側面１３２と底面１３５に連結し、右側突起１１２を臨むように前側下方へ傾斜する傾斜面を有する。左側規制部１５１についてした説明は、右側規制部１５２にも同様に当てはまる。
【００４７】
なお、図９に示すように上側掛け部１１０に対して規制部１５０を一体化しても構わない。この場合、規制部１５０は、上側掛け部１１０に連結して下側掛け部１２０側へ延在する部分を含み、下側掛け部１２０の直上に配される下端部を有する。
【００４８】
＜第２実施形態＞
図１０及び図１１を参照して第２実施形態について説明する。図１０は、保持具の部分的な前面図であり、下側掛け部の変形例を示す。図１１は、保持具の部分的な上下断面模式図であり、下側掛け部に鞄や袋等の持ち手が掛けられた状態を示す。
【００４９】
下側掛け部１２０の左端部１２１とフック収容部１３０の左側面１３１の間に間隔Ｗ１９１を設け、下側掛け部１２０の右端部１２２とフック収容部１３０の右側面１３２の間に間隔Ｗ１９２を設けると良い。この場合、間隔Ｗ１９１、Ｗ１９２に鞄や袋等の持ち手９００を通すことができ、下側掛け部１２０をフック体３００の掛け部として利用することに加えて、下側掛け部１２０を鞄や袋等の持ち手９００の掛け部として利用することができる。結果として、保持具１０のより広い使用態様を確保することができる。なお、図１１に示す場合、フック体３００が本体部１００から帯体２００を介して鉛直方向に吊り下がる第３状態にあり、フック体３００に対して別の荷物を掛けることが可能でもある。
【００５０】
＜第３実施形態＞
図１２乃至図１４を参照して第３実施形態について説明する。図１２は、座席の概略的な背面図である。図１３は、座席に対する保持具の固定方法の一例を示す断面模式図である。図１４は、座席に対する保持具の固定方法の別例を示す断面模式図である。
【００５１】
図１２に示すように座席２０に対して保持具１０を設けることが望ましい。座席は、例えば、自動車、電車、航空機等の移動体に設けられる座席である。座席２０に対する保持具１０の固定方法は任意であり、様々な態様が考えられる。例えば、図１３及び図１４に示すように座席２０の構成材料の所望の強度を有する平板３０に対して保持具１０を固定しても良い。
【００５２】
図１３に示す場合、本体部１００の後面１０７の一組の爪部１９０を活用して平板３０の開口部に対して本体部１００を内嵌して固定する。平板３０には開口３１が設けられ、この開口３１に一組の爪部１９０を差し込み、これにより、平板３０の開口３１周りの部分が爪部１９０の先端と本体部１００の後面１０７の間で挟み込まれる。
【００５３】
図１４に示す場合、ボルトとナットを用いて平板３０に本体部１００を固定する。本体部１００の帯体収容部１４０の底面１４１には、ボルト４１のボルト頭４２を収容するためのボルト頭収容凹部１４８、及びボルト頭収容凹部１４８の底面から後方へ延在して本体部１００を貫通する貫通孔１４９が形成される。ボルト頭収容凹部１４８には、ボルト４１のボルト頭４２が収容され、貫通孔１４９にはボルト４１の軸部４３が挿入される。ボルト４１の軸部４３を前側から平板３０の穴に挿通し、平板３０の後側で平板３０の穴を通過したボルト４１の軸部４３にナット４５を螺合する。このようにして平板３０に保持具１０を固定できる。
【００５４】
＜第４実施形態＞
図１５を参照して第４実施形態について説明する。図１５は、保持具の部分断面模式図であり、伸縮性のある若しくは伸縮性が無い帯体に代えてコンストンスプリング装置に結合した非伸縮性の帯体を用いる例を図示する。
【００５５】
本実施形態においては、伸縮性又は非伸縮性の帯体に代えて、帯体とコンストンスプリング装置の組み合わせを活用する。このような場合においても上述の実施形態と同様の効果を得ることができる。本実施形態においては、伸縮性を有しない帯体を用いることもできるが、もちろん伸縮性を有する帯体を用いても良い。コンストンスプリング装置の活用により、帯体の十分な引出長さを確保することができ、サイズが大きい荷物の挟み込みをより好適に行うことが可能になる。
【００５６】
本実施形態においても、上側掛け部１１０及び下側掛け部１２０に対して非係合状態にあるフック体３００にとって下側掛け部１２０が上側掛け部１１０よりも近い位置に設けられる。上側掛け部１１０及び下側掛け部１２０に対して非係合状態にあるフック体３００は、コンストンスプリング装置５０の作動により初期位置にあるフック体３００に等しい。
【００５７】
本体部１００にはコンストンスプリング装置５００を収容するスプリング収容部１０９が設けられ、スプリング収容部１０９にコンストンスプリング装置５００が収容される。コンストンスプリング装置５００は、金属バネ５１０が芯材５２０に巻かれた構成を有する。金属バネ５１０の固定端５１１が芯材５２０に係止され、金属バネ５１０の自由端５１２には帯体２００’の基端２１０が固定される。帯体２００’を前側へ引き出すと、コンストンスプリング装置５００が帯体２００’を引き戻すように作用する。このようにして帯体２００’自体が伸縮性を有しない場合においても、帯体２００’の長さの可変性を確保することができる。
【００５８】
本実施形態においても、フック体３００を上側掛け部１１０及び下側掛け部１２０のいずれに掛けるのかに応じて帯体２００の状態が異なるようにすることができる。例えば、上側掛け部１１０にフック体３００を掛ける時、コンストンスプリング装置５００により帯体２００が引き戻される状態とし、図４に示すように帯体２００を張った状態にすることができる。例えば、下側掛け部１２０にフック体３００を掛ける時、コンストンスプリング装置５００により何ら帯体２００が引き戻されない状態とし、図６に示すように帯体２００に遊びの長さを生じさせることができる。
【００５９】
＜第５実施形態＞
図１６及び図１７を参照して第５実施形態について説明する。図１６は、保持具の前面図であり、帯体の基端が膨大に構成されて抜止部として機能する例を示す。図１７は、保持具の上下断面模式図であり、図１６に示すＸＶＩＩ−ＸＶＩＩに沿う断面を示す。
【００６０】
本実施形態においては、帯体２００の基端２１０が膨大に構成され、この肉厚の基端２１０が本体部１００からの帯体２００の抜止部として機能する。本実施形態においても第１乃至第３実施形態で説明したものと同様の効果を得ることができる。このように本体部１００に対する帯体２００の基端２１０側の固定態様は様々な態様が考えられる。
【００６１】
更に、本実施形態においては、本体部１００の上下の区別がなく、本体部１００が上下の半分を境として上下対称に構成され、換言すれば、前後方向に対して直交する平面において回転対称である。本構成よれば、本体部１００を固定する際に本体部１００の配向の誤りが問題になることを回避することかできる。
【００６２】
図１６及び図１７に示すように、帯体２００の基端２１０がフック収容部１３０内に配され、帯体２００がフック収容部１３０の底面１３５の貫通孔を介してフック収容部１３０外へ延び、帯体２００の自由端２２０のフック体３００が鉛直方向に吊り下げられている。製造方法に関しては、例えば、帯体２００の自由端２２０をフック収容部１３０の底面１３５の貫通孔に通し、その後、フック体３００を帯体２００の自由端２２０に一体的に設けても良いし、これ以外の方法を採用しても良い。
【００６３】
本実施形態においても、図１６から明らかなように、上側掛け部１１０及び下側掛け部１２０に対して非係合状態にあるフック体３００にとって下側掛け部１２０が上側掛け部１１０よりも近い位置に設けられる。
【００６４】
なお、図１７の紙面において本体部１００を９０°右回転させて本体部１００を横に寝かせると、上側掛け部１１０及び下側掛け部１２０に対して非係合状態にあるフック体３００から見て下側掛け部１２０と上側掛け部１１０が等しい位置に設けられるようにも把握できる。しかしながら、上側掛け部１１０や下側掛け部１２０にフック体３００を掛けるべくフック体３００を左回転させるならば、フック体３００が移動距離を短くして係合するのが下側掛け部１２０であり、フック体３００が移動距離を長くして係合するのが上側掛け部１１０であることに変わりは無い。同じ状態において上側掛け部１１０や下側掛け部１２０にフック体３００を掛けるべくフック体３００を右回転させる場合も同様に考えることができ、フック体３００が移動距離を短くして係合するのが上側掛け部１１０であり、フック体３００が移動距離を長くして係合するのが下側掛け部１２０である。つまり、このように本体部１００を横に寝かせた形態においても「フック体３００にとって一方の掛け部が他方の掛け部よりも近い位置に設けられる」と言える。
【００６５】
図１６及び図１７に示すように、上側掛け部１１０のみならず、下側掛け部１２０も左側突起１２３と右側突起１２４の組により構成される。なお本例においては各突起が半球状である。左側規制部１５１及び右側規制部１５２には、各々、一組の上側及び下側の傾斜面１５３が形成され、これにより、上側掛け部１１０から外れたフック体３００が自動的に下側掛け部１２０に掛けられることやこの逆に下側掛け部１２０から外れたフック体３００が自動的に上側掛け部１１０に掛けられることを抑制することができる。なお、各規制部１５０に設けられる一組の傾斜面に関し、上側の傾斜面が上側掛け部１１０を臨むように配され、下側の傾斜面が下側掛け部１２０に臨むように配される。
【００６６】
本体部１００は、箱部１０１のみから構成される。もちろん上述の例の如く平板部１０２を追加的に本体部１００に設けても良い。箱部１０１は、矩形状に４つの壁部１０８０が連続して構成され、上部壁部１０８０の前面の窪みにより上側帯体収容部１４０１が形成され、下部壁部１０８２の前面の窪みにより下側帯体収容部１４０２が形成される。上述の例の如く各帯体収容部を上下に長く確保しても構わない。
【００６７】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。実施形態によっては、「フック体３００にとって下側掛け部１２０が上側掛け部１１０よりも近い位置に設けられる」との表現は、「フック体３００から見て下側掛け部１２０が上側掛け部１１０よりも近い位置に設けられる」という意味合いも包含する。
【符号の説明】
【００６８】
１０    保持具
１００  本体部
１１０  上側掛け部
１２０  下側掛け部
１３０  フック収容部
１４０  帯体収容部
２００  帯体
２１０  基端
２２０  自由端
３００  フック体
３１０  基部
３２０  弧状部
【図１】
0003186016.tif 000003
【図２】
0003186016.tif 000004
【図３】
0003186016.tif 000005
【図４】
0003186016.tif 000006
【図５】
0003186016.tif 000007
【図６】
0003186016.tif 000008
【図７】
0003186016.tif 000009
【図８】
0003186016.tif 000010
【図９】
0003186016.tif 000011
【図１０】
0003186016.tif 000012
【図１１】
0003186016.tif 000013
【図１２】
0003186016.tif 000014
【図１３】
0003186016.tif 000015
【図１４】
0003186016.tif 000016
【図１５】
0003186016.tif 000017
【図１６】
0003186016.tif 000018
【図１７】
0003186016.tif 000019